(57)【要約】【課題】情報カードを用いて電気錠の解錠操作を片手で簡単且つ確実に行うことのできる情報カード対応電気錠ユニットを提供する。【解決手段】非接触式の情報カードに対するアンテナ１６と、アンテナの前側に位置して情報カードを押し当てるアンテナカバー５と、アンテナで受信したカード情報を読み取るリーダー部１７と、リーダー部に接続したロック制御部１９と、ロック制御部からの信号で扉３の施解錠を行う電気錠２７とを備える情報カード対応電気錠ユニット４０で、アンテナカバー５を押動自在に設け、アンテナカバーの押動操作でスイッチ２０を作動させるようにして、スイッチでリーダー部１７やロック制御部１９への電源の供給を開始する。アンテナカバー５は一端をヒンジ部１０で支持して揺動自在に設けた。アンテナカバー５の他端にスイッチ２０を配置した。アンテナ１６をアンテナカバー５の裏面に設けた。【選択図】図４
2006125112.tif 000002
【特許請求の範囲】
【請求項１】
非接触式の情報カードに対するアンテナと、該アンテナの前側に位置して該情報カードを前面に押し当てるアンテナカバーと、該アンテナで受信したカード情報を読み取るリーダー部と、該リーダー部に接続したロック制御部と、該ロック制御部からの信号で扉の施解錠を行う電気錠とを備える情報カード対応電気錠ユニットであって、
前記アンテナカバーが押動自在に設けられ、該アンテナカバーの押動操作でスイッチが作動し、該スイッチが前記リーダー部やロック制御部への電源の供給を開始させることを特徴とする情報カード対応電気錠ユニット。
【請求項２】
前記アンテナカバーが一端側をヒンジ部で支持されて揺動自在に設けられたことを特徴とする請求項１記載の情報カード対応電気錠ユニット。
【請求項３】
前記アンテナカバーの他端側に前記スイッチが配置されたことを特徴とする請求項２記載の情報カード対応電気錠ユニット。
【請求項４】
前記アンテナカバーの周囲に環状のホルダが設けられ、該ホルダに該アンテナカバーが前記ヒンジ部で支持され、該ホルダが前記扉に固定されたことを特徴とする請求項２又は３記載の情報カード対応電気錠ユニット。
【請求項５】
前記アンテナカバーに、前記電気錠の解錠表示を行うＬＥＤランプが設けられたことを特徴とする請求項１〜４の何れかに記載の情報カード対応電気錠ユニット。
【請求項６】
前記アンテナカバーの裏面に前記アンテナが固着されたことを特徴とする請求項１〜５の何れかに記載の情報カード対応電気錠ユニット。
【発明の詳細な説明】
【技術分野】
【０００１】
本発明は、ＩＣカード等の非接触式の情報カードを用いてキャビネットやロッカ等の扉を解錠させる情報カード対応電気錠ユニットに関するものである。
【背景技術】
【０００２】
図７〜図８は従来の情報カード対応電気錠ユニットの一形態を示すものである（特許文献１参照）。
【０００３】
この情報カード対応電気錠ユニットは、鍵を用いることなく、住宅の扉５１の電気錠５２を施解錠させるためのものであり、入室しようとする者がアンテナカバー５３の通信開始用の押しボタン５４を指で押して、ＩＣの組み込まれた非接触式の情報カード５５をアンテナカバー５３に近づけることで、カードデータの認証と電気錠５２の自動解錠が省電力で行われる。
【０００４】
アンテナカバー５３の内側にアンテナ５６（図８）とカードリーダーであるＣＰＵ（中央処理ユニット）５７（図８）が配置され、アンテナカバー５３の外面に押しボタン５４が設けられている。アンテナ５６はＡ／Ｄ変換回路５８（図８）を経て制御装置のＣＰＵ５７に接続され、押しボタン５４と電気錠５２はそれぞれＣＰＣ５７に接続されている。ＣＰＵ５７には記憶部５９であるＲＯＭとＲＡＭが接続されている。
【０００５】
入室しようとする者が押しボタン５４を押すことで、制御装置に電源が供給され、アンテナ５６から電磁波が送信され、情報カード５５をアンテナカバー５３に近づけることで、情報カード５５のデータを電磁誘導等によりアンテナ５６で受信し、ＣＰＵ５７が、そのデータが適正なものか否かを記憶部５９のデータに基づいて確認し、カード情報が適正である場合に、アンテナ５６からの電磁波の送信を停止し、ＣＰＵ５７が電気錠５２に解錠信号を送って電気錠５２を解錠させると共に、アンテナカバー５３のランプ６０を点灯させる。
【０００６】
上記情報カード対応電気錠ユニットは住宅用の扉５１に限らず、図示しないロッカやキャビネット等の扉においても適用可能なものである。何れの場合も、押しボタン５４を押すまではアンテナ５６からの電磁波の送信が停止されているから、待機電力が削減され、電源の電池化が可能となっている。
【０００７】
待機電力を削減して節電を可能とする電気錠ユニットの他の形態としては、本出願人が先に特許文献２で提案したものが挙げられる。
【０００８】
この電気錠ユニット（図示せず）は情報カードではなく、ＩＤタグを内蔵した棒状のホルダ（非接触型データキャリア）を用い、ロッカの扉にホルダを挿入する孔部を有する合成樹脂製のカバーを設け、孔部内に押しボタンスイッチを設け、押しボタンスイッチの操作で交信信号発信部を起動させるようにしたものである。
【特許文献１】特開平１０−１３４１５５号公報（第３頁、図１〜図３）
【特許文献２】特開２００４−２１８３０４号公報（第６頁、図３）
【発明の開示】
【発明が解決しようとする課題】
【０００９】
しかしながら、上記従来の情報カード対応電気錠ユニット（図７）にあっては、カード使用者が押しボタンを押す動作と、情報カードをアンテナカバーに近づける動作との二つの動作が必要であり、操作が面倒で、片手では不安定な操作となって操作ミスを起こしやすいという問題があった。
【００１０】
また、棒状のホルダ（非接触型データキャリア）を用いた電気錠ユニットにあっては、カード式の非接触型データキャリアには適用できないという問題があった。
【００１１】
本発明は、上記した点に鑑み、情報カードを用いて電気錠の解錠操作を片手で簡単且つ確実に行うことのできる情報カード対応電気錠ユニットを提供することを目的とする。
【課題を解決するための手段】
【００１２】
上記目的を達成するために、本発明の請求項１に係る情報カード対応電気錠ユニットは、非接触式の情報カードに対するアンテナと、該アンテナの前側に位置して該情報カードを前面に押し当てるアンテナカバーと、該アンテナで受信したカード情報を読み取るリーダー部と、該リーダー部に接続したロック制御部と、該ロック制御部からの信号で扉の施解錠を行う電気錠とを備える情報カード対応電気錠ユニットであって、前記アンテナカバーが押動自在に設けられ、該アンテナカバーの押動操作でスイッチが作動し、該スイッチが前記リーダー部やロック制御部への電源の供給を開始させることを特徴とする。
【００１３】
上記構成により、扉を開けようとする者が片手で情報カードを持ち、情報カードをアンテナカバーの前面に押し付けることで、アンテナカバーが後方に移動してスイッチを作動させる。スイッチはロック制御部やリーダー部に電源電流を供給させ、電源を供給されたリーダー部がアンテナを介して情報カードとの間で交信を行わせ、カード情報を読み取って予め登録済みのデータと比較し、一致した場合にロック制御部を介して電気錠を解錠させる。情報カードとしてはＩＣカードが好ましく、電源としては電池が好ましい。
【００１４】
請求項２に係る情報カード対応電気錠ユニットは、請求項１記載の情報カード対応電気錠ユニットにおいて、前記アンテナカバーが一端側をヒンジ部で支持されて揺動自在に設けられたことを特徴とする。
【００１５】
上記構成により、情報カードをアンテナカバーに押し当てた際に、剛性の高い（弾力性のない）アンテナカバーが一端側のヒンジ部を支点に小さな力で確実に押動され、操作者によるアンテナカバーの押動操作すなわちスイッチの駆動操作が確実に行われる。
【００１６】
請求項３に係る情報カード対応電気錠ユニットは、請求項２記載の情報カード対応電気錠ユニットにおいて、前記アンテナカバーの他端側に前記スイッチが配置されたことを特徴とする。
【００１７】
上記構成により、アンテナカバーに情報カードを押し当ててアンテナカバーを一端のヒンジ部を支点に揺動させた際に、アンテナカバーの他端側が後方に最大に変位し、他端側のスイッチを大きなストロークで確実に作動させる。
【００１８】
請求項４に係る情報カード対応電気錠ユニットは、請求項２又は３記載の情報カード対応電気錠ユニットにおいて、前記アンテナカバーの周囲に環状のホルダが設けられ、該ホルダに該アンテナカバーが前記ヒンジ部で支持され、該ホルダが前記扉に固定されたことを特徴とする。
【００１９】
上記構成により、予めホルダにアンテナカバーを揺動自在に組み付けておき、次いでホルダをアンテナカバー組立体の状態で扉の前壁の裏面に固定することで、アンテナカバーの組付を簡単且つ確実に行うことができる。
【００２０】
請求項５に係る情報カード対応電気錠ユニットは、請求項１〜４の何れかに記載の情報カード対応電気錠ユニットにおいて、前記アンテナカバーに、前記電気錠の解錠表示を行うＬＥＤランプが設けられたことを特徴とする。
【００２１】
上記構成により、操作者が情報カードを押し当てたアンテナカバーを目視することで、電気錠の解錠の有無を容易且つ確実に確認することができる。また、アンテナカバーに表示用のＬＥＤランプを設けることで、扉にＬＥＤランプ取付用の孔を開ける必要がなくなり、ＬＥＤランプの配線は扉のアンテナカバーの取付孔を通ってロック制御部に接続される。
【００２２】
請求項６に係る情報カード対応電気錠ユニットは、請求項１〜５の何れかに記載の情報カード対応電気錠ユニットにおいて、前記アンテナカバーの裏面に前記アンテナが固着されたことを特徴とする。
【００２３】
上記構成により、アンテナがアンテナカバーの裏面に位置することで、操作者が情報カードをアンテナカバーに押し当てた際に、情報カードとアンテナとの間の距離が最も短縮し、且つアンテナと情報カードとの距離が一定に保たれた状態で、情報カードとアンテナとの交信が正確に行われる。
【発明の効果】
【００２４】
以上の如く、請求項１記載の発明によれば、情報カードを片手で持ってアンテナカバーに押し付けるというワンタッチ操作で、情報カードの認証を行わせて扉を解錠させることができ、情報カードを用いた解錠操作を極めて容易に行わせることができる。また、情報カードをアンテナカバーに押し付けて初めて電源が入るから、電池を電源とした際の電池の寿命が延び、煩わしい電池交換の作業回数が削減される。
【００２５】
請求項２記載の発明によれば、剛性のアンテナカバーをヒンジ部を支点に小さな力で確実に押動させることができるから、カード情報の読取や電気錠の解錠操作を正確に行わせることができる。
【００２６】
請求項３記載の発明によれば、アンテナカバーの揺動操作でスイッチを大きなストロークで確実に作動させることができるから、カード情報の読取や電気錠の解錠操作を一層正確に行わせることができる。
【００２７】
請求項４記載の発明によれば、アンテナカバーをホルダに組み付けた状態で扉に組み付けることで、押動式のアンテナカバーを扉に簡単且つ確実に組み付けることができ、情報カード対応電気錠ユニットの組付性が向上する。
【００２８】
請求項５記載の発明によれば、ＬＥＤランプがアンテナカバーにあることで、ＬＥＤランプの視認性が向上すると共に、ＬＥＤランプの取付作業性が向上する。
【００２９】
請求項６記載の発明によれば、情報カードに対するアンテナの位置が最も近く且つ一定になることで、カード情報の読取精度が高まり、規定の情報カードである場合に電気錠の解錠操作が一層正確に行われる。
【発明を実施するための最良の形態】
【００３０】
図１は、本発明に係る情報カード対応電気錠ユニットを内蔵するキャビネットの一実施形態を示す正面図、図２は、情報カード対応電気錠ユニットの一実施形態を示すキャビネット扉の要部背面図、図３は同じく情報カード対応電気錠ユニットを示す側面図である。
【００３１】
図１のキャビネット１は金属材で形成され、物品収納室を有する筐体２と、収納室の開口を塞ぐ扉３と、扉３を開閉自在に支持するヒンジ４とを備えたものである。筐体２や扉３は上下左右に複数並列に配置されることが多い。
【００３２】
扉３の前面のヒンジ４とは反対側の回動端寄りの部分に合成樹脂製のアンテナカバー５が設けられ、アンテナカバー５の斜め下側に内筒非常ロック付ハンドル６が設けられている。内筒非常ロック付ハンドル６は図示しないハンドルを有し、内筒部分に非常解錠用のシリンダ錠７（図３）を有している。アンテナカバー５は絶縁性の合成樹脂を材料として正面視で円形状に形成されている。扉３の前面には内筒非常ロック付ハンドル６の上方に取っ手（図示せず）を設けてもよい。
【００３３】
図４〜図５に、情報カード対応電気錠ユニットの要部である待機状態におけるアンテナカバー５とその近傍の構造を詳細に示す如く、アンテナカバー５は、前面側の円板状の押圧操作板８と、押圧操作板８の周囲に一体に形成された環状の周壁９と、周壁９の上端に設けられた垂直な板状のヒンジ部１０とで構成されている。
【００３４】
周壁９は前半の小径部９ａと後半の大径部９ｂと、小径部９ａと大径部９ｂとの間の段差部９ｃとで構成され、周壁９の前後幅寸法は上端から下端に向かうに従って長くなるように形成されている。押圧操作板８はＩＣ等を搭載した非接触式の情報カード（図示せず）を押接させる部位であり、情報カードよりも少し大きい面積を有することが好ましい。
【００３５】
アンテナカバー５は上端のヒンジ部１０を横方向の支軸１１で前後方向回動（押動）自在に支持され、好ましくはヒンジ部１０において弦巻ばね等の弾性部材（図示せず）で前方に向けて弾性的に付勢され、その状態で押圧操作板８の下端８ｂが上端８ａよりも前方に突出して、押圧操作板８が少し斜め上向きに傾斜して位置し、周壁９の後端面９ｄは傾きなく垂直に位置している。
【００３６】
扉３の前壁１２に設けた円形の孔部１３に前壁１２の裏面側から環状のホルダ１４が嵌合固定され、ホルダ１４の内側にアンテナカバー５が前後方向揺動自在に配置されている。ホルダ１４は、アンテナカバー５のヒンジ部１０を回動自在に支持するヒンジ部（受け部）１５と、アンテナカバー５の周壁９の外周面に沿う前半の小径部１４ａと後半の大径部１４ｂと、扉３の前壁１２の裏面に当接するフランジ部１４ｄとを有し、ホルダ１４の内面側の段差部１４ｃにアンテナカバー５の段差部９ｃが当接して、アンテナカバー５の押圧操作前の待機状態が維持されている。
【００３７】
本実施形態においては、アンテナカバー５の前面の押圧操作板８の裏面に板状のアンテナ１６がねじ止めや接着等の手段で固定されている。アンテナ１６はアンテナカバー５の押圧操作板８よりも小さく形成されている。アンテナ１６は後述のリーダーユニット１７に電線等の回路を介して接続されている。
【００３８】
なお、アンテナ１６の位置はアンテナカバー５の裏面に限るものではなく、例えば後述するリーダーユニット１７に直接（一体的に）設けたり、リーダーユニット１７の前面に支柱を介してアンテナカバー５に接近させて設けたり、アンテナカバー５とリーダーユニット１７との間において扉３の内壁部に固定して設けたりすることも可能である。要は、アンテナ１６はアンテナカバー５の後側でアンテナカバー５とリーダーユニット１７との間に位置していればよい。
【００３９】
アンテナカバー５の押圧操作板８の上端部には解錠確認用のＬＥＤランプ１８が設けられ、ＬＥＤランプ１８は後述するロック制御ユニット１９（図２）に電気的に接続されている。アンテナカバー５の周壁９の下端部に対向してホルダ１４又は扉３の内壁部にスイッチ２０が固定して設けられ、スイッチ２０の可動板２１がアンテナカバー５の周壁９の後端下部に弾性的に当接ないし若干の隙間を存して位置し、アンテナカバー５の押動操作で可動板２１が揺動（押動）してスイッチ２０内の接点がオンオフされるようになっている。
【００４０】
スイッチ２０は後述のロック制御ユニット１９（図２）やリーダーユニット１７に電気的に接続され、スイッチ２０のオンでロック制御ユニット１９やリーダーユニット１７に電源電流が供給され、スイッチ２０のオフでロック制御ユニット１９やリーダーユニット１７への電源の供給が遮断されるようになっている。
【００４１】
アンテナカバー５及びアンテナカバー内のアンテナ１６に対向して、リーダーユニット（リーダー部）１７としてのリーダー制御基板が垂直に配置されている。本実施形態のリーダー制御基板１７はプリント回路基板で構成されている。リーダー制御基板１７には、カード情報等を記憶したメモリ（図示せず）や、情報カードからの受信データをＡ／Ｄ変換する回路（図示せず）や、情報カードから受信したカード情報をメモリ内のデータと比較・認証する判定回路等が実装されている。リーダー制御基板１７は短い水平な支柱２２を介して垂直なベース板２３に固定されている。リーダーユニット１７によるカード情報の読取や認証等の基本構成は従来におけるものと同様である。
【００４２】
図５の如く、アンテナカバー５に情報カード（図示せず）を押し付けることで、アンテナカバー５が上端のヒンジ部１０を支点に回動（揺動）して、アンテナカバー５の下部後端がスイッチ２０の可動板２１を押し下げてスイッチ２０をオンさせる。アンテナカバー５の前面の押圧操作板８は扉３の前面と平行に垂直に位置し、アンテナカバー５の周壁９の後端面は斜め上向きに傾斜して位置する。アンテナカバー５の上端のヒンジ部１０は外周のホルダ１４のフランジ内面（ストッパ面）１４ｄ’に当接してそれ以上のアンテナカバー５の回動を阻止する。アンテナカバー５の裏面のアンテナ１６はリーダーユニット１７に対向して平行に位置する。
【００４３】
図２の如く、リーダーユニット１７に隣接して並列にロック制御ユニット（ロック制御部）１９が配置され、両ユニット１７，１９は垂直なベース板２３にねじ締め等の手段で固定されている。本実施形態のロック制御ユニット１９はロック制御基板としてのプリント回路基板で構成されている。ロック制御基板１９は後述のソレノイド２４の駆動を制御する回路や、リーダーユニット１７の作動を制御する回路や、二つの計時用のタイマー等（図示せず）を有している。なお、リーダーユニット１７とロック制御ユニット１９とを一枚の回路基板で一体的に構成させることも可能である。
【００４４】
垂直なベース板２３の下側に電源としての電池ユニット２５が配置され、電池ユニット２５には複数本の電池（図示せず）が直列に接続した状態で収容されている。電池ユニット２５の側方に近接して施解錠用のソレノイド２４が設けられ、ソレノイド２４はブラケット２６を介してロックユニット２７に固定されて電気錠（符号２７で代用）を構成している。
【００４５】
リーダーユニット１７とロック制御ユニット１９とは電線等の回路で相互に接続され、ロック制御ユニット１９と電池ユニット２５、及びロック制御ユニット１９とソレノイド２４とは電線等の回路で相互に接続されている。前記スイッチ２０（図４）はロック制御ユニット１９やリーダーユニット１７の電源回路を断続する回路（例えばリレー回路やトランジスタ回路等）に接続されている。なお、電流値の小さな場合は、電池ユニット２５からロック制御ユニット１９やリーダーユニット１７へ電源を供給する回路をスイッチ２０自体で直接断続させることも可能である。何れにせよ、スイッチ２０のオンオフ操作で電池ユニット２５からリーダーユニット１７やロック制御ユニット１９への電源の供給が断続されるようになっている。
【００４６】
扉３を開けようとする者が情報カードをアンテナカバー５の外表面に押し当てることで、アンテナカバー５が図５の如く押し込まれ、スイッチ２０がオンし、リーダーユニット１７やロック制御ユニット１９に電池ユニット２５から電源電流が供給され、リーダーユニット１７が情報カードのデータを読み取ってメモリデータと比較認証し、その認証信号を受けたロック制御ユニット１９がソレノイド２４をオンして電気錠２７を解錠する。必要な時だけ電源が供給されることで、電池の耐用年数が高まり、電池交換やそれにかかる手間が少なくて済む。
【００４７】
ソレノイド２４は進退自在なプランジャ２８を有し、プランジャ２８は例えばソレノイド内のコイル（図示せず）の励磁で引き込まれ、励磁が断たれるとソレノイド内のコイルばね（図示せず）の力で突出する。プランジャ２８は金属製の板状のタング２９に連結され、プランジャ２８の進退動作でタング２９が支軸３０を中心に回動して扉３の施解錠を行わせる。
【００４８】
例えばプランジャ２８の先端部がタング２９の支軸中心よりも偏心してタング２９の基部側に回動自在に連結されることで、プランジャ２８の進退動作でタング２９が回動自在となっている。タング２９は先端側に切欠部３１を有し、切欠部３１がキャビネット１の筐体２の孔部等に進入係合することで、扉３が開扉不能に施錠される。
【００４９】
なお、電池ユニット２５やソレノイド２４の位置やロック制御ユニット１９の位置等は必要に応じて適宜変更可能である。例えば電池ユニット２５をロック制御ユニット１９の側方に隣接して配置してもよい。図３の如く、ロック制御ユニット１９やリーダーユニット１７や電池ユニット２５や電気錠２７は扉３の内側からカバー３２で覆われて保護される。
【００５０】
図６は、上記情報カード対応電気錠ユニット４０の作用を示すフローチャートである。
【００５１】
先ず、キャビネット１の扉３を解錠しようとする者が情報カードを片手で持ってアンテナカバー５に押し付ける（ステップ１０１）。このワンタッチ操作でスイッチ２０がオンすなわち電線がオンして（ステップ１０２）、リーダーユニット１７やロック制御ユニット１９に電池ユニット２５から電源が供給される。アンテナカバー５から情報カードを離すと同時にスイッチ２０の可動板２１は復帰するが、電源はオンした状態に保持される。
【００５２】
上記スイッチ２０のオンと同時に第一タイマー（図示せず）がスタートし（ステップ１０３）、リーダーユニット１７が駆動されて（ステップ１０４）、情報カードとの間で交信を行い、第一タイマーの制限時間内において（ステップ１０５）、その情報カードのデータが予めリーダーユニット１７のメモリに登録済みのものであるか否かを判定し（ステップ１０６）、情報カードのデータがメモリ内のデータと一致した場合に、その信号をロック制御ユニット１９に送り、ロック制御ユニット１９が電気錠２７のソレノイド２４に解錠信号を送って、ソレノイド２４をオン（駆動）して、電気錠２７を解錠させ、それと同時にアンテナカバー５のＬＥＤランプ１８を点灯させる（ステップ１０７）。
【００５３】
電気錠２７の解錠と同時に第二タイマー（図示せず）による計時が開始され（ステップ１０８）、第二タイマーの制限時間が終了した時点で（ステップ１０９）、ロック制御ユニット１９が電気錠２７のソレノイド２４に施錠信号を送って、ソレノイド２４をオフさせ、電気錠２７を施錠させ、それと同時にアンテナカバー５のＬＥＤランプ１８を消灯させ、且つ電源をオフさせる（ステップ１１０）。
【００５４】
なお、ステップ１０５で第一タイマーがタイムアップした場合は、スタートに戻り、ステップ１０６でカード情報が登録済みのデータと一致しない場合は、ステップ１０５の第一タイマーの計時開始に戻り、ステップ１０９の第二タイマーがタイムアップするまでは第二タイマーの計時を継続し、ステップ１１０の電気錠２７の自動施錠が完了した後はスタートに戻る。
【００５５】
以上のように、情報カードをワンタッチ操作でリーダーユニット１７に読み取らせることができ、容易にキャビネット１の扉３を解錠させることができる。例えば扉３を開けようとする者が多くの書類や荷物を抱えた状態でも、片手の操作で簡単にキャビネット１を開くことができる。
【００５６】
なお、上記実施形態においては、情報カード対応電気錠ユニット４０をキャビネット１の扉３の施解錠に適用したが、キャビネット１以外でも貸しロッカーや住宅の扉等に上記情報カード対応電気錠ユニット４０を適用することも可能である。
【００５７】
また、上記実施形態においては、電気錠２７として、ソレノイド２４とタング２９とを用いた簡単な構造のものを採用したが、電気錠２７はこれに限るものではなく、例えば従来技術の特許文献２に示される電気錠（図示せず）のように、ソレノイドと、ソレノイド２４のプランジャに連結されて回動する制御レバーと、制御レバーと一体に解錠方向に回動するストッパレバーと、ストッパレバーで施錠状態を維持するロックプレートと、ロックプレートの切欠孔に係合する扉側のストライカとを備えたものであってもよい。
【００５８】
また、上記実施形態においては、アンテナカバー５のヒンジ部１０とは反対側にスイッチ２０を配置して、スイッチ２０の可動板２１の変位量を最大に確保したが、スイッチ２０の位置はこれに限られるものではなく、例えばアンテナカバー５の左右端の何れかに配置したり、あるいはアンテナカバー５の周壁９の内側に配置して押圧操作板８の裏面に可動板２１を接触可能としてもよい。
【００５９】
また、上記実施形態においては、スイッチ２０のオフ操作でロック制御ユニット１９とリーダーユニット１７との両方の電源を遮断したが、例えばリーダーユニット１７のみの電源を遮断するように回路配線することも可能である。
【図面の簡単な説明】
【００６０】
【図１】本発明の情報カード対応電気錠ユニットを内蔵するキャビネットの一実施形態を示す正面図である。
【図２】本発明に係る情報カード対応電気錠ユニットの一実施形態を示す背面図である。
【図３】同じく情報カード対応電気錠ユニットを示す側面図である。
【図４】（ａ）は情報カード対応電気錠ユニットの要部を示す待機状態の縦断面図、（ｂ）は同じく正面図である。
【図５】（ａ）は情報カード対応電気錠ユニットのアンテナカバーの操作状態を示す縦断面図、（ｂ）は同じく正面図である。
【図６】情報カード対応電気錠ユニットの作用を示すフローチャートである。
【図７】従来の情報カード対応電気錠ユニットを備える住宅ドアを示す全体斜視図（円内は要部拡大正面図）である。
【図８】同じく従来の情報カード対応電気錠ユニットのブロック図である。
【符号の説明】
【００６１】
３    扉
５    アンテナカバー
１０  ヒンジ部
１４  ホルダ
１６  アンテナ
１７  リーダーユニット（リーダー部）
１８  ＬＥＤランプ
１９  ロック制御ユニット（ロック制御部）
２０  スイッチ
２７  電気錠
４０  情報カード対応電気錠ユニット
【図１】
2006125112.tif 000003
【図２】
2006125112.tif 000004
【図３】
2006125112.tif 000005
【図４】
2006125112.tif 000006
【図５】
2006125112.tif 000007
【図６】
2006125112.tif 000008
【図７】
2006125112.tif 000009
【図８】
2006125112.tif 000010